(57)【要約】【課題】就寝時等における入れ歯を外した際の骨格の変形や顔のしわ、歯茎の損傷等を予防する入れ歯代替用マウスピースの提供を図る。【解決手段】入れ歯を外した時に使用するマウスピースであって、略馬蹄形状に成型され、上面あるいは下面あるいは上下両面にそれぞれ上部あるいは下部歯茎の形状に沿って被せて固定する歯茎挿嵌部を形成し、かつ、入れ歯とほぼ同一の高さを設けた構成となっている。【選択図】図１
2005278734.tif 000002
【特許請求の範囲】
【請求項１】
入れ歯を外した時に使用するマウスピースであって、略馬蹄形状に成型され、上面に上部歯茎の形状に沿って被せて固定する歯茎挿嵌部を形成し、かつ、入れ歯とほぼ同一の高さを設けたことを特徴とする入れ歯代替用マウスピース。
【請求項２】
入れ歯を外した時に使用するマウスピースであって、略馬蹄形状に成型され、下面に下部歯茎の形状に沿って被せて固定する歯茎挿嵌部を形成し、かつ、入れ歯とほぼ同一の高さを設けたことを特徴とする入れ歯代替用マウスピース。
【請求項３】
入れ歯を外した時に使用するマウスピースであって、略馬蹄形状に成型され、上面及び下面に上下歯茎の形状に沿って被せて固定する歯茎挿嵌部を形成し、かつ、入れ歯とほぼ同一の高さを設けたことを特徴とする入れ歯代替用マウスピース。
【請求項４】
前記マウスピースの材質として、基盤を硬質プラスチックで成型し、表面をシリコン又はウレタンによりコーティングしたことを特徴とする請求項１から請求項３に記載の入れ歯代替用マウスピース。
【請求項５】
前記マウスピースの正面に、少なくとも一以上の空気孔を設けたことを特徴とする請求項１から請求項４に記載の入れ歯代替用マウスピース。
【発明の詳細な説明】
【技術分野】
【０００１】
本発明は、就寝時や激しい運動時など入れ歯を外さなくてはならない時に、代替として使用するためのマウスピースに関するものである。
【背景技術】
【０００２】
就寝時において、入れ歯は洗浄・消毒を行うために外されるが、その際に代替の入れ歯を使用することは少なく、入れ歯を外している間は顎骨が入れ歯の支えを失い、本来の位置を維持できない状態におかれる。このことは、顎の骨格を変形させてしまうことに繋がり、さらには、かかる骨格の変形からくる顔のしわの発生の原因ともなる。
【０００３】
また、上歯あるいは下歯のみが入れ歯である場合、就寝時に洗浄・消毒を行っている間、片方は歯が在りもう片方は歯が無く歯茎の状態におかれる。かかる場合には、上記問題に加えて歯ぎしりの発生により、歯が無い方の歯茎を傷めてしまうこととなる。
【０００４】
さらに、入れ歯は口内において完全に固定されていないことから、激しい運動時において入れ歯はズレを生じ、歯茎や顎の骨格を痛めてしまう原因となる。
【特許文献１】特開平７‐２４１３４１号公報
【発明の開示】
【発明が解決しようとする課題】
【０００５】
上記問題点に鑑み、本発明は、就寝時等における入れ歯を外した際の骨格の変形や顔のしわ、歯茎の損傷等を予防する入れ歯代替用マウスピースを提供することを目的とする。
【課題を解決するための手段】
【０００６】
前記目的を達成するため、本発明は、入れ歯を外した時に使用するマウスピースであって、略馬蹄形状に成型され、上面に上部歯茎の形状に沿って被せて固定する歯茎挿嵌部を形成し、かつ、入れ歯とほぼ同一の高さを設けた構成となっている。
【０００７】
また、本発明は、マウスピースの下面に下部歯茎の形状に沿って被せて固定する歯茎挿嵌部を形成した構成とすることができる。
【０００８】
さらに、本発明は、マウスピースの上面及び下面に上下歯茎の形状に沿って被せて固定する歯茎挿嵌部を形成した構成とすることもできる。
【０００９】
またさらに、本発明は、前記マウスピースの材質として、基盤を硬質プラスチックで成型し、表面をシリコン又はウレタンによりコーティングした構成を採用することもできる。
【００１０】
さらにまた、本発明は、前記マウスピースの正面に、少なくとも一以上の空気孔を設けた構成を採ることもできる。
【発明の効果】
【００１１】
本発明にかかる入れ歯代替用マウスピースによれば、就寝時に入れ歯を外した際、顎の本来の骨格を変形させることなく眠ることができ、また、噛み合わせの不具合を解消し口腔の違和感をなくして、熟睡に資する効果がある。
【００１２】
また、表面の材質を歯茎と近い弾力のある素材を使用することにより、就寝時の歯ぎしりや激しい運動時において、歯茎を傷める心配がなくなる。
【００１３】
さらに、本発明にかかる入れ歯代替用マウスピースに空気孔を設けることにより、該マウスピースを着用した際の呼吸もスムーズに行うことが可能となる。
【発明を実施するための最良の形態】
【００１４】
以下、本発明にかかる入れ歯代替用マウスピース１の実施形態を図面に基づいて説明する。
【００１５】
図１は、本発明にかかる入れ歯代替用マウスピース１の第一の実施形態を示す斜視図である。該入れ歯代替用マウスピース１は、個々が使用する入れ歯とほぼ同一の形状及び大きさに成型されており、具体的には、略馬蹄形状に成型されたマウスピース本体２の上面に、上部歯茎の形状に沿って被せて固定する歯茎挿嵌部３が形成されている。そして、その歯茎挿嵌部３には、口腔内でのズレを防止するため歯茎支持部材３ａ・３ｂが設けられており、歯茎を覆い密着する格好となる。また、マウスピース本体２の高さについて、個々が使用している入れ歯とほぼ同一の高さを有するように成型されている。
【００１６】
尚、マウスピース本体２の正面部分には、少なくとも一以上の空気孔Ｈを設けることが望ましい。マウスピース本体２は歯を有していないことから隙間がなく、これを着用した場合に口から体内へ空気を取り込む際の負担を軽減すべく、設けたものである。空気孔Ｈの大きさは、違和感なく呼吸が行える程度とし、また、かかる呼吸をスムーズに行うため、空気孔Ｈはマウスピース本体２に三以上設けることが好ましい。
【００１７】
本発明にかかる入れ歯代替用マウスピース１の材質としては、特に限定されるものではなく、プラスチックや合成樹脂、ゴムなどにより一体成型することが可能である。また、マウスピース本体２の内部をプラスチックで成型し、直接口腔に接触する外部をシリコンやウレタンといった弾性部材により成型することも可能である。
【００１８】
図２は、本発明の第一の実施形態にかかる入れ歯代替用マウスピース１の裏側を示した斜視図である。マウスピース本体２は、歯の噛み合わせを考慮し、前歯に相当する箇所２ａは細く、奥歯に相当する箇所２ｂは太く形成されている。また、前歯に相当する箇所２ａについては、下前歯が収まる形状となっている。
【００１９】
図３は、本発明にかかる入れ歯代替用マウスピース１の第二の実施形態を示す斜視図である。該入れ歯代替用マウスピース１は、個々が使用する入れ歯とほぼ同一の形状及び大きさに成型されており、マウスピース本体２の高さについて、個々が使用している入れ歯とほぼ同一の高さを有するように成型されている。マウスピース本体２は、歯の噛み合わせを考慮し、前歯に相当する箇所２ａは細く、奥歯に相当する箇所２ｂは太く形成されている。また、前歯に相当する箇所２ａについては、上前歯の内側に収まる形状となっている。
【００２０】
尚、マウスピース本体２の正面部分には、前記同様、少なくとも一以上の空気孔Ｈを設けることが望ましい。また、材質についても前記同様、特に限定されるものではない。
【００２１】
図４は、本発明の第二の実施形態にかかる入れ歯代替用マウスピース１の裏側を示した斜視図である。略馬蹄形状に成型されたマウスピース本体２の下面には、下部歯茎の形状に沿って被せて固定する歯茎挿嵌部３が形成されている。そして、その歯茎挿嵌部３には、口腔内でのズレを防止するため歯茎支持部材３ａ・３ｂが設けられており、歯茎を覆い密着する格好となる。
【００２２】
図５は、本発明にかかる入れ歯代替用マウスピース１の第三の実施形態を示す斜視図である。該入れ歯代替用マウスピース１は、個々が使用する入れ歯とほぼ同一の形状及び大きさに成型されており、具体的には、略馬蹄形状に成型されたマウスピース本体２の上面及び下面に、上部及び下部それぞれの歯茎の形状に沿って被せて固定する歯茎挿嵌部３が形成されている。そして、その歯茎挿嵌部３には、口腔内でのズレを防止するため歯茎支持部材３ａ・３ｂが設けられており、歯茎を覆い密着する格好となる。また、マウスピース本体２の高さについて、個々が使用している入れ歯とほぼ同一の高さを有するように成型されている。
【００２３】
尚、マウスピース本体２の正面部分には、前記同様、少なくとも一以上の空気孔Ｈを設けることが望ましい。また、材質についても前記同様、特に限定されるものではない。
【００２４】
図６は、本発明の第一の実施形態にかかる入れ歯代替用マウスピース１において、基盤４を硬質プラスチックで成型し、表面をシリコン又はウレタンでコーティングした構成を採用した場合の部分断面図である。本発明にかかる入れ歯代替用マウスピース１は、着用した際に顎の骨格を正しい位置に保持する必要から、その基盤４は型崩れしない程度の硬い材質を用いなければならず、逆に表面の材質については、歯茎と近い弾力のあるシリコンやウレタンといった素材を使用することにより、就寝時の歯ぎしりや激しい運動時において、歯茎を傷める心配がなくなることとなる。
【００２５】
図７は、本発明の第二の実施形態にかかる入れ歯代替用マウスピース１において、基盤４を硬質プラスチックで成型し、表面をシリコン又はウレタンでコーティングした構成を採用した場合の部分断面図である。
【００２６】
図８は、本発明の第三の実施形態にかかる入れ歯代替用マウスピース１において、基盤４を硬質プラスチックで成型し、表面をシリコン又はウレタンでコーティングした構成を採用した場合の部分断面図である。
【図面の簡単な説明】
【００２７】
【図１】本発明にかかる入れ歯代替用マウスピースの第一の実施形態を示す斜視図である。
【図２】本発明の第一の実施形態にかかる入れ歯代替用マウスピースの裏側を示した斜視図である。
【図３】本発明にかかる入れ歯代替用マウスピースの第二の実施形態を示す斜視図である。
【図４】本発明の第二の実施形態にかかる入れ歯代替用マウスピースの裏側を示した斜視図である。
【図５】本発明にかかる入れ歯代替用マウスピースの第三の実施形態を示す斜視図である。
【図６】本発明の第一の実施形態にかかる入れ歯代替用マウスピースにおいて、基盤を硬質プラスチックで成型し、表面をシリコン又はウレタンでコーティングした構成を採用した場合の部分断面図である。
【図７】本発明の第二の実施形態にかかる入れ歯代替用マウスピースにおいて、基盤を硬質プラスチックで成型し、表面をシリコン又はウレタンでコーティングした構成を採用した場合の部分断面図である。
【図８】本発明の第三の実施形態にかかる入れ歯代替用マウスピースにおいて、基盤を硬質プラスチックで成型し、表面をシリコン又はウレタンでコーティングした構成を採用した場合の部分断面図である。
【符号の説明】
【００２８】
１    入れ歯代替用マウスピース
２    マウスピース本体
２ａ  前歯に相当する箇所
２ｂ  奥歯に相当する箇所
３    歯茎挿嵌部
３ａ  歯茎支持部材
３ｂ  歯茎支持部材
４    基盤
Ｈ    空気孔
【図１】
2005278734.tif 000003
【図２】
2005278734.tif 000004
【図３】
2005278734.tif 000005
【図４】
2005278734.tif 000006
【図５】
2005278734.tif 000007
【図６】
2005278734.tif 000008
【図７】
2005278734.tif 000009
【図８】
2005278734.tif 000010